(57)【要約】【課題】例えば、移動端末と固定電話端末で同一の電話番号でＩＰ電話サービスを利用する際にユーザが煩雑な設定を行うことなく、希望する側の端末で着信応答を可能にする。【解決手段】  ＩＰ電話サーバに対して定期的に登録要求を送信することにより電話サービスを利用可能な電話装置であって、電話装置１０（主装置１１の制御部１１１）は、同じ電話サービスを利用する他の電話装置（移動端末２０）から登録要求を受信すると、ＩＰ電話サーバ３０に対する自身の登録要求の送信を停止するように制御する。【選択図】図１
2015076843.tif 000002
【特許請求の範囲】
【請求項１】
ＩＰ電話サーバに対して定期的に登録要求を送信することにより電話サービスを利用可能な電話装置であって、
同じ電話サービスを利用する他の電話装置から前記登録要求を受信すると、前記ＩＰ電話サーバに対する自身の登録要求の送信を停止するように制御する制御部、を備えたことを特徴とする電話装置。
【請求項２】
前記制御部は、
前記他の電話装置から所定時間内に前記登録要求を受信しなかった場合に、前記自身の登録要求の送信を再開することを特徴とする請求項１記載の電話装置。
【請求項３】
前記制御部は、
前記他の電話装置から登録を削除する要求を受信した場合に、前記自身の登録要求の送信を再開することを特徴とする請求項１記載の電話装置。
【請求項４】
コンピュータによって実行され、ＩＰ電話サーバに対して定期的に登録要求を送信することにより電話サービスを利用可能な電話装置のプログラムであって、
前記コンピュータに、
同じ電話サービスを利用する他の電話装置から前記登録要求を受信する処理と、
前記登録要求を受信すると、前記ＩＰ電話サーバに対する自身の登録要求の送信を停止する処理とを、実行させるプログラム。
【発明の詳細な説明】
【技術分野】
【０００１】
本発明は、ＩＰ（Internet  Protocol）電話サービスを利用する、例えば、固定電話端末を収容した電話装置であって、この固定電話端末と同一の電話番号を持ち、同様にＩＰ電話サービスを利用する、例えば、携帯電話機等の移動端末との間で電話サービスを快適に利用することが可能な電話装置及びプログラムに関する。
【背景技術】
【０００２】
従来、着信を受けた電話をあらかじめ登録した他の携帯電話に、あるいはオフィスや家庭の電話等に転送することができる転送電話サービスが知られている。例えば、特許文献１には、公衆回線網経由で転送対象の外線からボタン電話主装置に着信があった場合に、携帯電話端末が無線基地局に位置登録されていることを条件に転送を有効にし、その携帯電話端末に転送する方法が開示されている。
【先行技術文献】
【特許文献】
【０００３】
【特許文献１】特開平９−３２２２５５号公報
【発明の概要】
【発明が解決しようとする課題】
【０００４】
ところで、ＩＰ電話サービスは、サービスに加入すれば、インターネット接続環境にあればどこでもサービスを受けることができる。ＩＰ端末は、ＩＰ電話サービスを提供するＩＰ電話サーバに対してＩＰアドレスによる登録動作を定期的に行っている。このとき、移動端末と固定電話端末とを同一の電話番号で同じＩＰ電話サービスを利用しようとした場合、移動端末と固定電話端末がＩＰ電話サーバに対して、アドレス登録を行うと、移動端末側と固定電話端末側のユーザＩＤとパスワードが正しい場合、ＩＰ電話サーバは、後から登録された方の端末を有効として動作することになる。
【０００５】
このため着信が発生した場合、ＩＰ電話サーバは、その時点で登録されている側の端末に対して着信通知を行うため、例えば、ユーザが、ある発信先から電話があることが分っているときに、その着信を外出先（移動端末側）で受けたくても、固定電話端末側が有効になっている状態で着信が発生すると固定電話端末側に着信が通知されてしまうことがあるため、確実に移動端末側でその着信に応答することができない。すなわち、既存の基本的なＩＰ電話サービスでは、別々のＩＰアドレスで二重に登録されると、後に登録されたＩＰアドレスを持つ端末に対して着信通知が行われるため、一つの電話番号を２拠点以上で使用することができないという課題があった。
【０００６】
本発明は上記した課題を解決するためになされたものであり、例えば、移動端末と固定電話端末で同一の電話番号をＩＰ電話サービスで利用するときに、ユーザが煩雑な設定を行うことなく、希望する側の端末で着信応答することが可能な、電話装置およびプログラムを提供することを目的とする。
【課題を解決するための手段】
【０００７】
上記した課題を解決するために本発明の第１の観点に係る電話装置は、ＩＰ電話サーバに対して定期的に登録要求を送信することにより電話サービスを利用可能な電話装置であって、同じ電話サービスを利用する他の電話装置から前記登録要求を受信すると、前記ＩＰ電話サーバに対する自身の登録要求の送信を停止するように制御する制御部、を備えたことを特徴とする。
【０００８】
本発明において、前記制御部は、前記他の電話装置から所定時間内に前記登録要求を受信しなかった場合に、前記自身の登録要求の送信を再開することを特徴とする。
【０００９】
本発明において、前記制御部は、前記他の電話装置から登録を削除する要求を受信した場合に、前記自身の登録要求の送信を再開することを特徴とする。
【００１０】
本発明の第２の観点に係るプログラムは、コンピュータによって実行され、ＩＰ電話サーバに対して定期的に登録要求を送信することにより電話サービスを利用可能な電話装置のプログラムであって、前記コンピュータに、同じ電話サービスを利用する他の電話装置から前記登録要求を受信する処理と、前記登録要求を受信すると、前記ＩＰ電話サーバに対する自身の登録要求の送信を停止する処理とを、実行させることを特徴とする。
【発明の効果】
【００１１】
本発明によれば、例えば、移動端末と固定電話端末で同一の電話番号でＩＰ電話サービスを利用するときに、ユーザが煩雑な設定を行うことなく、希望する側の端末で着信応答することが可能な、電話装置およびプログラムを提供することができる。
【図面の簡単な説明】
【００１２】
【図１】本発明の実施の形態に係る電話装置が接続されるＩＰ電話システムの接続構成の一例を示す図である。
【図２】図１のＩＰ電話システムの動作シーケンス図である。
【図３】本発明の実施の形態に係る電話装置の構成を示すブロック図である。
【図４】本発明の実施の形態に係る移動端末の動作を示すフローチャートである。
【図５】本発明の実施の形態に係る電話装置の動作を示すフローチャートである。
【発明を実施するための形態】
【００１３】
以下、添付図面を参照して、本発明を実施するための形態（以下、本実施形態という）について詳細に説明する。なお、本実施形態の説明の全体を通して同じ要素には同じ番号を付している。
【００１４】
（実施形態の構成）
図１において、ＩＰ電話システム１は、本実施形態に係る電話装置１０と、携帯電話等の移動端末２０と、ＩＰ電話サーバ３０とを含む。電話装置１０は、複数の外線と内線を共有して制御する主装置１１と、主装置１１に収容される複数の固定電話端末（子機１２）とからなる。ＩＰ電話サーバ３０は、ＩＰに対応した交換機であり、例えば、ＲＴＰ（Real-time  Transmission  Protocol）を使用し、音声をパケット化してＩＰ網４０に接続される電話装置１０と移動端末２０との間で通話を可能にする。なお、ここに示される移動端末２０は、本実施形態に係る電話装置１０と同一の電話番号を有するものとして説明する。
【００１５】
図２に、図１に示したＩＰ電話システム１の動作シーケンス図が示されている。以下、図２の動作シーケンス図を参照しながら図１のＩＰ電話システム１の概略動作を説明する。なお、以下に説明するコマンドおよび応答に係る呼制御はＳＩＰ（Session  Initiation  Protocol）で実現されるものとする。
【００１６】
まず、移動端末２０で着信を受ける場合には、移動端末２０のアプリケーションを起動してＩＰ電話サーバ３０に登録を行ない（ステップＳ１１）、ＩＰ電話サーバ３０からＯＫ応答を得た後（ステップＳ１２）、子機１２を収容する電話装置１０に対しても登録を行ない（ステップＳ１３）、電話装置１０からＯＫ応答を得る（ステップＳ１４）。図１中に、ＩＰ電話サーバ３０への登録はａ．電話装置１０への登録はｂ．として示されている。
【００１７】
本実施形態に係る電話装置１０は、移動端末２０から登録要求が定期的にある場合、ＩＰ電話サーバ３０に対する登録動作を行わない。したがって、着信が発生した場合、ＩＰ電話サーバ３０は、移動端末２０側へ着信を通知する（ステップＳ１５）。これを受けて移動端末２０は、着信を受け付けたことを示すメッセージ受付応答を行い（ステップＳ１６）、ベルを鳴らす等の呼び出し処理を行なって呼出し中であることを通知する（ステップＳ１７）。これにより、ユーザは移動端末２０で着信応答が可能になり、ユーザが応答したら応答を通知する（ステップＳ１８）。
【００１８】
ユーザは、移動端末２０側で着信を受けたくないか、あるいは電話装置１０に、例えば留守番電話設定を行なうことにより留守電応答させたい場合には、移動端末２０側のアプリケーションを終了する。これにより、移動端末２０がＩＰ電話サーバ３０へ登録要求を行わなくなり（ステップＳ１９）、同時に電話装置１０側にも登録要求を行わなくなる。また、アプリケーションを終了しなくても、圏外等により回線サービスが機能しない場合にも、電話装置１０側に登録要求を行わなくなる。
【００１９】
電話装置１０は、一定期間移動端末２０からの登録要求がないことを検出すると、ＩＰ電話サーバ３０に登録要求を行ない（ステップＳ２０）、ＩＰ電話サーバ３０からＯＫ応答を得る（ステップＳ２１）。移動端末２０から登録要求がなくなった場合に電話装置から行う登録は、図１中、ｃ．として示してある。以降、着信が発生した場合、ＩＰ電話サーバ３０は、電話装置１０側に着信を通知する（ステップＳ２２）。これにより、電話装置１０は、ＩＰ電話サーバ３０に対し着信を受け付けたことを示すメッセージ受付応答を行い（ステップＳ２３）、ベルを鳴らす等の呼び出し処理を行なっていることを通知し（ステップＳ２４）、着信応答や留守電応答を通知する（ステップＳ２５）。このように、移動端末２０に着信通知は伝わらず、電話装置１０側に着信応答させることができる。
【００２０】
図３に本実施形態に係る電話装置１０の構成が示されている。ここでは、主装置１１の内部構成が示されており、周辺の接続構成もあわせて示してある。図３に示すように、主装置１１は、制御部１１１と、記憶部１１２と、アナログ電話通信部１１３と、携帯電話通信部１１４と、アナログ内線通信部１１５と、ＩＰネットワーク通信部１１６とを備えている。
【００２１】
制御部１１１は、汎用の１チップＣＰＵで構成され、主装置１１の制御中枢となる。制御部１１１は、記憶部１１２に記憶されたプログラムを逐次読み出し実行することにより、同じ電話サービスを利用する他の電話装置（移動端末２０）から登録要求を受信すると、ＩＰ電話サーバ３０に対する自身の登録要求の送信を停止するように制御する。
【００２２】
制御部１１１は、移動端末２０から所定時間内に登録要求を受信しなかった場合に、自身の登録要求の送信を再開するように制御してもよい。また、制御部１１１は、移動端末２０から登録を削除する要求（登録削除要求）を受信した場合に、自身の登録要求の送信を再開するように制御してもよい。
【００２３】
記憶部１１２は、プログラム領域と作業領域からなり、プログラム領域には制御部１１１が実行するプログラムが格納され、作業領域にはプログラム実行過程で生成される各種データが格納される。記憶部１１２には、例えば、ダイナミックＲＡＭ、スタテックＲＡＭ、あるいは書き換え可能なフラッシュメモリが実装される。
【００２４】
アナログ電話通信部１１３は、図示省略したアナログ電話網に接続されており、アナログ電話通信が可能に構成されている。また、携帯電話通信部１１４は、図示省略した携帯電話網に接続されており、携帯電話通信が可能に構成されている。また、アナログ内線通信部１１５は、アナログ電話通信に対応しており、図示省略した複数の内線電話端末が接続されている。アナログ内線通信部１１５は、アナログ電話網、携帯電話網およびＩＰ網４０上の外線電話端末との間で通信可能に接続する機能を有している。また、ＩＰネットワーク通信部１１６は、ＩＰ網４０に接続されており、ＩＰ網４０上の複数のＩＰ電話端末と並行して通信可能である。なお、ＩＰネットワーク通信部１１６には、ＬＡＮ（Local  Area  Network）経由で固定電話端末（図１の子機１２）が接続されている。
【００２５】
（実施形態の動作）
以下、図４のフローチャートを参照しながら移動端末２０の動作を、図５のフローチャートを参照しながら本実施形態に係る電話装置１０の動作について詳細に説明する。
【００２６】
図４において、ユーザは、移動端末２０で着信を受けたい場合（ステップＳ１０１“ＹＥＳ”）、アプリケーションが起動中か否かを確認（ステップＳ１０２）し、起動中でなければアプリケーションを起動する（ステップＳ１０３）。アプリケーションが起動されると、移動端末２０は、ＩＰ電話サーバ３０に登録を行なう（ステップＳ１０４）。続いて、移動端末２０は、子機１２を収納する電話装置１０に対しても登録を行なう（ステップＳ１０５）。そして、着信が発生したか否か、着信に応答したか否かを判断し（ステップＳ１０６）、着信が発生し、応答する場合（ステップＳ１０６“応答する”）、着信応答する（ステップＳ１０７）。着信が発生しなかった場合、または着信に応答しない場合、ステップＳ１０１に戻る。なお、電話装置１０は、移動端末２０から登録要求が定期的にある場合、ＩＰ電話サーバ３０に対する登録動作を行わない。したがって、着信が発生した場合、ＩＰ電話サーバ３０は移動端末２０側へ着信を通知し、ユーザは移動端末２０で着信応答が可能になる（ステップＳ１０７）。
【００２７】
ユーザは、移動端末２０側で着信を受けたくないか、あるいは電話装置１０に例えば留守番電話設定を行なうことにより留守電応答させたい場合には（ステップＳ１０１“ＮＯ”）、移動端末２０側のアプリケーションが起動中か否かを確認する。（ステップＳ１０８）。起動中であった場合（ステップＳ１０８“ＹＥＳ”）、アプリケーションを終了（Ｓ１０９）し、ＩＰ電話サーバ３０に削除登録する（ステップＳ１１０）。そして、電話装置１０側にも削除登録を行う（ステップＳ１１１）。これにより、移動端末２０がＩＰ電話サーバ３０へ登録要求を行わなくなり、同時に電話装置１０側にも登録要求を行わなくなる。
【００２８】
図５において、電話装置１０（主装置１１の制御部１１１）は、移動端末２０から登録要求が定期的にある場合（ステップＳ２０１“ＹＥＳ”）、更に、移動端末２０からの登録要求は、登録要求なのか削除要求なのかを判定する（ステップＳ２０２）。制御部１１１は、登録要求を受信したら（ステップＳ２０２“登録要求”）、ＩＰ電話サーバ３０に対して登録中か否かを判定する（ステップＳ２０３）。登録中でなければ（ステップＳ２０３“ＮＯ”）ステップ２０１へ戻る。登録中であれば（ステップＳ２０３“ＹＥＳ”）、ＩＰ電話サーバ３０への登録動作を停止する。（ステップＳ２０４）。一方、制御部１１１は、移動端末２０から登録要求がなく（ステップＳ２０１“ＮＯ”）、タイムアップしたら（ステップＳ２０５“ＹＥＳ”）、あるいは移動端末２０から削除要求を受信すれば（ステップＳ２０２“削除要求”）、ＩＰ電話サーバ３０に対して定期的に登録要求を送信する（ステップＳ２０６）。
【００２９】
着信が発生すると、ＩＰ電話サーバ３０は、電話装置１０に着信を通知するため、電話装置１０は着信があるかないか、着信に応答するか否かを判断する。（ステップＳ２０７）着信に対して応答する場合（ステップＳ２０７“応答する”）、電話装置にて着信応答をする（ステップＳ２０８）。また、ステップ２０７にて、着信が発生しなかった場合、あるいは着信に対して応答しない場合、ステップＳ２０１に戻る。
【００３０】
（実施形態の効果）
本実施形態に係る電話装置１０によれば、電話装置１０（主装置１１の制御部１１１）は、同じ電話サービスを利用する他の電話装置（移動端末２０）から登録要求を受信すると、ＩＰ電話サーバ３０に対する自身の登録要求の送信を停止するように制御する。したがって、移動端末２０と固定電話端末１２との間で同一の電話番号でＩＰ電話サービスを利用するときに、ユーザが煩雑な設定を行うことなく、希望する側の端末で着信応答することが可能になる。この機能は、例えば、ユーザが、ある発信先から電話があることが分っているときに、その着信を外出先（移動端末側）で受けるときに有効になる。
【００３１】
また、本実施形態に係る電話装置１０によれば、制御部１１１は、移動端末２０から所定時間内に登録要求を受信しなかった場合に、自身の登録要求の送信を再開する。この場合、移動端末２０に着信通知は伝わらず、電話装置１０側に着信応答させることができる。ユーザは、移動端末２０側で着信を受けたくないか、圏外等により回線サービスが機能せず着信が受けられないか、あるいは電話装置１０に、例えば留守番電話設定を行なうことにより留守電応答させたい場合に有効である。この場合、移動端末２０側のアプリケーションを終了することによりＩＰ電話サーバ３０へ登録要求を行わなくなり、同時に電話装置１０側にも登録要求を行わなくなる。
【００３２】
また、本実施形態に係る電話装置１０によれば、制御部１１１は、移動端末２０等、他の電話装置から登録を削除する要求を受信した場合に、自身の登録要求の送信を再開する。したがって、移動端末２０等他の電話装置による登録解除が可能になり、その場合、電話装置１０に着信応答させることができ、使い勝手の良い電話装置１０を提供することができる。
【００３３】
なお、本実施形態に係る電話装置１０によれば、複数の外線と内線を共有して制御する主装置１１と、主装置１１に収容される複数の固定電話端末（子機１２）とからなるビシネスホンを例示したが、ゲートウエイで代替してもよく、また、ＬＡＮ（Local Area Network）経由で接続されるＰＣやタブレット端末等、インターネット接続環境を有する通信機器であればいずれでもよい。
【００３４】
また、本実施形態に係るプログラムは、例えば、図３において、コンピュータ（制御部１１１）によって実行され、ＩＰ電話サーバ３０に対して定期的に登録要求を送信することにより電話サービスを利用可能な電話装置１０のプログラムであって、例えば、記憶部１１２の所定の領域（プログラム領域）に記憶される。そして、そのプログラムは、例えば、図５のフローチャートに示すように、前記コンピュータに、同じ電話サービスを利用する他の電話装置から前記登録要求を受信する処理（ステップＳ２０１）と、前記登録要求を受信すると、前記ＩＰ電話サーバ３０に対する自身の登録要求の送信を停止する処理（ステップＳ２０４）とを、実行させる。
【００３５】
本実施形態に係るプログラムによれば、電話装置１０は、同じ電話サービスを利用する他の電話装置（移動端末２０）から登録要求を受信すると、ＩＰ電話サーバ３０に対する自身の登録要求の送信を停止するように制御する処理を実行する。したがって、例えば、移動端末２０と固定電話端末１２との間で同一の電話番号でＩＰ電話サービスを利用するときに、ユーザが煩雑な設定を行うことなく希望する側の端末で着信応答することが可能になる。
【００３６】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３７】
１  ＩＰ電話システム、１０  電話装置、１１  主装置、１２  固定電話端末（子機）、２０  移動端末、３０  ＩＰ電話サーバ、４０  ＩＰ網、１１１  制御部、１１２  記憶部、１１３  アナログ電話通信部、１１４  携帯電話通信部、１１５  アナログ内線通信部、１１６  ＩＰネットワーク通信部
【図１】
2015076843.tif 000003
【図２】
2015076843.tif 000004
【図３】
2015076843.tif 000005
【図４】
2015076843.tif 000006
【図５】
2015076843.tif 000007